(57)【要約】【課題】生体情報の時間帯に依存する特徴的な変化に着目して疾患発症リスクの予測を行えるようにする。【解決手段】予測装置ＳＶにおいて、血圧データおよび不規則脈波の判定データを取得すると共に、睡眠時間帯を示す入力データもしくは睡眠状況の判定結果を表す情報を取得する。そして、上記睡眠時間帯の入力データもしくは睡眠状況の判定結果を表す情報をもとに、予測対象期間として睡眠時間帯を設定してこれを前半と後半に分割し、この前半と後半の各時間帯間における血圧データの変化の度合い、および不規則脈波の発生頻度の変化の度合いをそれぞれ算出して、これらを乗算することにより睡眠時間帯における総合リスクを算出する。そして、この総合リスクを判定閾値と比較して脳心血管疾患の発症リスクの高低を判定する。【選択図】図４
2019115614.tif 000002
【特許請求の範囲】
【請求項１】
計測部により計測されたユーザの生体情報を取得する生体情報取得部と、
予測対象期間を複数の時間帯に分け、前記生体情報の前記複数の時間帯間における変化を表す情報を生成する生成部と、
特定の疾患に対応付けて予め設定された判定基準を保持し、前記変化を表す情報を前記判定基準と比較することで、前記ユーザにおける前記特定の疾患の発症リスクを予測する予測部と
を具備する疾患発症リスク予測装置。
【請求項２】
前記生体情報取得部は、前記生体情報として血圧情報を取得し、
前記生成部は、前記取得された血圧情報の前記複数の時間帯間における変化を表す情報を生成し、
前記予測部は、前記特定の疾患に対応付けて予め設定された閾値を前記判定基準として保持し、前記血圧情報の変化を表す情報を前記閾値と比較することで、前記ユーザにおける前記特定の疾患の発症リスクを予測する、
請求項１に記載の疾患発症リスク予測装置。
【請求項３】
前記生体情報取得部は、前記生体情報として、血圧情報と、不規則脈波の発生状況を表す情報をそれぞれ取得し、
前記生成部は、
前記取得された血圧情報の前記複数の時間帯間における変化を表す第１の変化情報を生成する第１の生成部と、
前記取得された不規則脈波の発生状況を表す情報の前記複数の時間帯間における変化を表す第２の変化情報を生成する第２の生成部と、
前記第１の生成部により生成された第１の変化情報と、前記第２の生成部により生成された第２の変化情報とを、予め設定された係数で重み付けして合成し、その合成結果を表す第３の変化情報を、前記変化を表す情報として生成する第３の生成部と
を備え、
前記予測部は、前記特定の疾患に対応付けて予め設定された閾値を前記判定基準として保持し、前記第３の生成部により生成された第３の変化情報を前記閾値と比較することで、前記ユーザにおける前記特定の疾患の発症リスクを予測する、
請求項１に記載の疾患発症リスク予測装置。
【請求項４】
入力部において入力された、前記ユーザの睡眠時間帯を表す情報を取得する睡眠時間帯取得部を、さらに具備し、
前記生成部は、
前記睡眠時間帯を表す情報に基づいて、前記ユーザの睡眠時間帯を前記予測対象期間として設定する設定部と、
前記睡眠時間帯を複数の時間帯に分割する分割部と
を備える、請求項１乃至３のいずれかに記載の疾患発症リスク予測装置。
【請求項５】
前記計測部により計測された、前記ユーザの睡眠状況を表す情報を取得する睡眠情報取得部を、さらに具備し、
前記生成部は、
前記睡眠状況を表す情報に基づいて、前記ユーザの睡眠時間帯を推定して当該睡眠時間帯を前記予測対象期間として設定する設定部と、
前記睡眠状況を表す情報に基づいて、前記睡眠時間帯の分割境界点を設定し、当該分割境界点をもとに前記睡眠時間帯を複数の時間帯に分割する分割部と
を備える、請求項１乃至３のいずれかに記載の疾患発症リスク予測装置。
【請求項６】
前記生成部は、前記複数の時間帯の各々において、複数回計測された前記生体情報の統計値を算出し、当該算出された統計値の前記複数の時間帯間における変化を表す情報を生成する、
請求項１乃至５のいずれかに記載の疾患発症リスク予測装置。
【請求項７】
少なくとも１つのハードウェアプロセッサとメモリとを有する装置が実行する疾患発症リスク予測方法であって、
前記少なくとも１つのハードウェアプロセッサが、計測部により計測されたユーザの生体情報を取得して前記メモリに格納する過程と、
前記少なくとも１つのハードウェアプロセッサが、予め設定した予測対象期間を複数の時間帯に分け、前記生体情報の前記複数の時間帯間における変化を表す情報を算出する過程と、
前記少なくとも１つのハードウェアプロセッサが、特定の疾患に対応付けて予め設定された判定基準を保持し、前記変化を表す情報を前記判定基準と比較することで、前記ユーザにおける前記特定の疾患の発症リスクを予測する過程と
を備える疾患発症リスク予測方法。
【請求項８】
請求項１乃至６のいずれかに記載の疾患発症リスク予測装置が備える各部の処理をプロセッサに実行させる疾患発症リスク予測プログラム。
【発明の詳細な説明】
【技術分野】
【０００１】
この発明の一実施形態は、例えば脳心血管疾患の発症リスクを予測するために用いられる疾患発症リスク予測装置、方法およびプログラムに関する。
【背景技術】
【０００２】
一般に、高血圧は自覚症状がない場合が多く、また症状があっても頭痛や頭重感といった比較的軽い症状しか自覚できない場合が多い。しかし、高血圧を放置すると、脳卒中や心筋梗塞などの重篤な疾患を突然発症するリスクが高くなり、非常に好ましくない。そこで、血圧を定期的に計測し、計測された血圧値の変化から上記のような重篤な疾患の発症リスクを予測する技術が提案されている（例えば、特許文献１を参照）。
【先行技術文献】
【特許文献】
【０００３】
【特許文献１】特開２００７−８６９０６号公報
【発明の概要】
【発明が解決しようとする課題】
【０００４】
血圧や心電などの生体情報は、気象や興奮、ストレスなどの外部から受ける影響により変化するだけでなく、時間帯に依存して特徴的な変化を生じることがある。例えば、高血圧のタイプには、家庭に滞在している時間帯では正常であるが職場で仕事をしている時間帯になると血圧が上昇する職場高血圧や、昼間では正常であるが夜間になると血圧が上昇する仮面高血圧がある。さらに仮面高血圧には、起床前後の１〜２時間程度の時間帯のみ血圧が急激に上昇する早朝高血圧がある。早朝高血圧は、睡眠中に低下した交感神経活動が覚醒前から亢進しはじめ、同時に副腎皮質刺激ホルモン（ＡＣＴＨ）の活性亢進が関与することで、強い血管収縮を生じて急峻な血圧上昇が発生するもので、特に早朝や午前中に発症する脳卒中や心筋梗塞などの重篤な脳心血管疾患との間で有意な関連性が指摘されている。
【０００５】
ところが、特許文献１に記載された技術は、気象などの外部条件に基づいて人の血圧変動を予測し、血圧の上昇が予測される場合に循環器系疾患の発症リスクが高まることを知らせるものとなっている。このため、外部条件には特に依存せず、時間帯に依存する生体情報の変化と関連性を有する疾患の発症リスクまでは予測することができない。
【０００６】
この発明は上記課題を解決するために、その一側面においては、生体情報の時間帯に依存する特徴的な変化に着目して疾患発症リスクの予測を行えるようにした疾患発症リスクの予測装置、方法およびプログラムを提供しようとするものである。
【課題を解決するための手段】
【０００７】
上記課題を解決するためにこの発明に係る疾患発症予測装置、方法またはプログラムの第１の態様は、計測部により計測されたユーザの生体情報を取得し、予め設定した予測対象期間を複数の時間帯に分割して、前記生体情報の前記複数の時間帯間における変化を表す情報を生成し、当該変化を表す情報を、特定の疾患に対応付けて予め設定された判定基準と比較することで、前記ユーザにおける前記特定の疾患の発症リスクを予測するようにしたものである。
【０００８】
この発明の第１の態様によれば、予測対象期間が複数の時間帯に分割され、この分割された複数の時間帯間における生体情報の変化を判定基準と比較することで、特定の疾患の発症リスクの予測結果が得られる。このため、生体情報の時間帯に依存する特徴的な変化を比較的簡単に検出することができ、この特徴的な変化の検出結果に基づいて、特定の疾患の発症リスクを予測することが可能となる。
【０００９】
この発明の第２の態様は、前記第１の態様において、前記生体情報として血圧情報を取得し、この取得された血圧情報の前記複数の時間帯間における変化を表す情報を生成し、当該血圧情報の変化を表す情報を、前記特定の疾患に対応付けて予め設定された判定基準と比較することで、前記ユーザにおける前記特定の疾患の発症リスクを予測するようにしたものである。
【００１０】
この発明の第２の態様によれば、分割された複数の時間帯間における血圧情報の変化を判定基準と比較することで、特定の疾患の発症リスクが予測される。このため、血圧の時間帯に依存する特徴的な変化を比較的簡単に検出することができ、この特徴的な変化の検出結果に基づいて、特定の疾患の発症リスクを予測することが可能となる。
【００１１】
この発明の第３の態様は、前記第１の態様において、前記生体情報として、血圧情報と、不規則脈波の発生状況を表す情報をそれぞれ取得し、前記取得された血圧情報の前記複数の時間帯間における変化を表す第１の変化情報を生成すると共に、前記取得された不規則脈波の前記複数の時間帯間における発生状況の変化を表す第２の変化情報を生成する。そして、前記第１の変化情報と前記第２の変化情報とを重み付けして合成し、その合成結果を表す第３の変化情報を、前記特定の疾患に対応付けて予め設定された判定基準と比較することで、前記ユーザにおける前記特定の疾患の発症リスクを予測するようにしたものである。
【００１２】
この発明の第３の態様によれば、生体情報として血圧情報と不規則脈波の発生状況を表す情報の両方を使用し、分割された複数の時間帯間における上記血圧情報の変化と、上記複数の時間帯間における不規則脈波の発生状況の変化とを合成した結果を判定基準と比較することで、特定の疾患の発症リスクが予測される。すなわち、時間帯間における血圧の変化に加え、不規則脈波の発生状況の変化を考慮して、特定の疾患の発症リスクが予測される。このため、特定の疾患の発症リスクをより高精度に予測することが可能となる。
【００１３】
この発明の第４の態様は、前記第１乃至第３の態様のいずれかにおいて、入力部において入力された、前記ユーザの睡眠時間帯を表す情報をさらに取得し、この睡眠時間帯を表す情報に基づいて、ユーザの睡眠時間帯を予測対象期間として設定し、当該睡眠時間帯を複数の時間帯に分割するようにしたものである。
【００１４】
この発明の第４の態様によれば、例えば、ユーザが自身の端末において自身の睡眠時間帯を表す情報を入力すると、この睡眠時間帯を表す情報が上記端末から取得される。そして、この取得された入力情報に基づいて上記睡眠時間帯が予測対象期間として設定され、当該睡眠時間帯が複数の時間帯に分割される。このため、ユーザの睡眠時間帯に発生する、生体情報の時間帯に依存する特徴的変化を検出することが可能となり、この時間帯に依存する生体情報の特徴的変化に基づいて特定の疾患の発症リスクを予測することが可能となる。
【００１５】
この発明の第５の態様は、前記第１乃至第３の態様のいずれかにおいて、計測部により得られたユーザの睡眠状況を表す情報を取得し、当該睡眠状況を表す情報に基づいてユーザの睡眠時間帯を推定し、当該睡眠時間帯を予測対象期間として設定する。またそれと共に、前記睡眠状況を表す情報に基づいて前記睡眠時間帯の分割境界点を設定し、当該分割境界点をもとに前記睡眠時間帯を複数の時間帯に分割するようにしたものである。
【００１６】
この発明の第５の態様によれば、ユーザの実際の睡眠時間帯が予測対象期間として設定され、さらにユーザの睡眠状況の内容に基づいて設定された分割境界点により上記睡眠時間帯が複数の時間帯に分割される。このため、ユーザの実際の睡眠時間帯における生体情報の時間帯に依存する特徴的な変化を検出することができ、この特徴的変化をもとに特定の疾患の発症リスクを予測することが可能となる。
【００１７】
この発明の第６の態様は、前記第１乃至第５の態様のいずれかにおいて、前記複数の時間帯の各々において、複数回計測された生体情報の統計値を算出し、当該算出された統計値の前記複数の時間帯間における変化を表す情報を生成するようにしたものである。
【００１８】
この発明の第６の態様によれば、分割された複数の時間帯の各々において複数の生体情報が計測された場合には、時間帯ごとに上記複数の生体情報の統計値が算出され、これらの統計値の上記時間帯間における変化をもとに、特定の疾患の発症リスクが予測される。従って、生体情報のバラツキの影響を低減して、生体情報の時間帯に依存する特徴的な変化を高精度に検出することが可能となり、これにより特定の疾患の発症リスクの予測精度を高めることが可能となる。
【発明の効果】
【００１９】
すなわちこの発明の各態様によれば、生体情報の時間帯に依存する特徴的な変化に着目して疾患発症リスクの予測を行うことができる疾患発症リスクの予測装置、方法およびプログラムを提供することができる。
【図面の簡単な説明】
【００２０】
【図１】図１は、この発明に係る疾患発症予測装置の１つの適用例を説明するためのブロック図である。
【図２】図２は、この発明に係る疾患発症推定装置を備えたシステムの全体構成を示す図である。
【図３】図３は、この発明に係る疾患発症予測装置の一実施形態を説明するためのもので、当該予測装置のハードウェアの構成を示すブロック図である。
【図４】図４は、この発明に係る疾患発症予測装置の一実施形態を説明するためのもので、当該予測装置のソフトウェアとデータメモリの構成を示すブロック図である。
【図５】図５は、図４に示した疾患発症予測装置による疾患発症予測処理の処理手順と処理内容を示すフローチャートである。
【図６】図６は、図５に示した疾患発症予測処理のうち推定対象期間分割処理の処理手順と処理内容を示すフローチャートである。
【図７】図７は、図５に示した疾患発症予測処理のうち変化情報生成処理の処理手順と処理内容を示すフローチャートである。
【図８】図８は、図５に示した疾患発症予測処理のうちリスク予測処理の処理手順と処理内容を示すフローチャートである。
【図９Ａ】図９Ａは、脈波データの一例を示す図である。
【図９Ｂ】図９Ｂは、心拍間隔揺らぎの周波数解析結果の一例を示す図である。
【図９Ｃ】図９Ｃは、自律神経バランスの変化の一例を示す図である。
【図９Ｄ】図９Ｄは、睡眠状況の時間変化の一例を示す図である。
【図１０】図１０は、睡眠状況判定結果の一例を示す図である。
【図１１】図１１は、睡眠時間帯における血圧値の変動と不規則脈波発生の有無の一例を示す図である。
【発明を実施するための形態】
【００２１】
以下、図面を参照してこの発明に係わる実施形態を説明する。
【００２２】
［適用例］
まず、この発明が適用される場面の一例について説明する。  
図１は、この適用例に係る疾患発症リスク予測装置の構成例を模式的に示したものである。図１において、ユーザＵＳには計測装置２が装着されている。計測装置２は、例えばウェアラブル端末からなり、生体情報計測ユニットと、無線通信ユニットとを備えている。
【００２３】
生体情報計測ユニットは、血圧計測部と、脈波計測部とを有する。血圧計測部は、ユーザＵＳの血圧値（収縮期の血圧値および拡張期の血圧値を含む）を計測し、血圧データを生成する。脈波計測部は、ユーザＵＳの脈波を計測する。そして、計測された脈波の計測タイミングから当該脈波が規則性を持つ脈波であるか不規則な脈波であるかを判定し、不規則脈波の発生状況を表すデータを生成する。上記血圧値および脈波の計測動作は、ユーザＵＳの計測指示操作に応じて行ってもよく、また予め設定された時間間隔で自動的に行ってもよい。
【００２４】
無線通信ユニットは、上記生体情報計測ユニットにより生成された血圧データおよび不規則脈波の発生状況を表すデータと、その計測時刻を含む生体情報を、その都度あるいは一定時間分蓄積した後、無線通信ネットワークを介して疾患発症リスク予測装置１へ送信する。
【００２５】
疾患発症リスク予測装置１は、この発明に係る構成要素として、取得部１ａと、生体情報記憶部１ｂと、変化情報生成部１ｃと、リスク予測部１ｄと、判定基準記憶部１ｅとを備えている。
【００２６】
取得部１ａは、上記計測装置２から送信された上記生体情報を受信し、生体情報記憶部１ｂに記憶させる。変化情報生成部１ｃは、予測対象期間として例えばユーザＵＳの睡眠時間帯を設定し、この睡眠時間帯を例えば前半と後半の２つの時間帯に分割する。ユーザＵＳの睡眠時間帯は、例えばユーザＵＳがユーザ端末または上記計測装置２等の入力機能を備える装置において入力し、この入力された睡眠時間帯を表す情報を疾患発症リスク予測装置１が取得することにより設定することができる。
【００２７】
また変化情報生成部１ｃは、上記生体情報記憶部１ｂから生体情報を読み出し、この読み出した生体情報を上記睡眠時間帯の前半と後半の各時間帯ごとに例えば平均化処理する。そして、上記平均化処理により得られた上記生体情報の平均値の上記各時間帯間における変化の度合いを求める。
【００２８】
一例を述べると、生体情報には血圧データと不規則脈波の発生状況を表すデータとが含まれているので、変化情報生成部１ｃは、血圧データと不規則脈波の発生状況を表すデータのそれぞれについて、上記前半と後半の各時間帯ごとに平均値を算出し、これらの平均値の上記各時間帯間における変化の度合いを算出する。つまり、睡眠時間帯の前半と後半との間における、血圧の変化の度合いと、不規則脈波の発生頻度の変化の度合いをそれぞれ算出する。
【００２９】
そして、算出された血圧の変化の度合いと不規則脈波の発生頻度の変化の度合いとを重み係数を掛けて加算または乗算し、その算出結果をユーザＵＳの睡眠時間帯の前半と後半との間における生体情報の変化の大きさを示すスコアとする。この変化スコアは、疾患発症リスクを判定するための情報としてリスク予測部１ｄに与えられる。
【００３０】
リスク予測部１ｄは、上記変化情報生成部１ｃにより求められた上記変化スコアを、判定基準記憶部１ｅに事前に記憶された判定基準と比較する。そして、例えば上記変化スコアが判定基準を超えている場合に、例えば早朝高血圧の疑いがあると判定する。さらにリスク予測部１ｄは、ユーザＵＳに早朝高血圧の疑いがあると判定すると、脳心血管疾患の発症リスクが高いことを通知するための通知メッセージを作成する。そして、この通知メッセージを、例えば、ユーザＵＳの端末、または当該ユーザＵＳの掛かり付け医の端末へ送信する。
【００３１】
以上述べたように疾患発症予測装置１では、睡眠時間帯を前半と後半とに分割して、これらの時間帯間における血圧データの変化の度合いおよび不規則脈波の発生頻度の変化の度合いを総合して生体情報の変化スコアを算出し、この変化スコアを予め設定された判定基準と比較することで、脳心血管疾患の発症リスクが高いか低いかを判定するようにしている。従って、早朝高血圧が原因となる脳心血管疾患の発症リスクを比較的簡単な手法により判定することが可能となり、ユーザまたは掛かり付け医は上記発症リスクの判定結果に基づいて早期の予防対策を講じたり、必要に応じて治療を施すことが可能となる。
【００３２】
［一実施形態］
（１）システム
図２は、この発明の一実施形態に係る疾患発症リスク予測装置１を備えたシステムの全体構成の一例を示す図である。  
このシステムは、疾患発症リスク予測装置（以後予測装置と称する）ＳＶを、例えばＷｅｂ上またはクラウド上に備えている。そして、この予測装置ＳＶとユーザが使用する端末（以後ユーザ端末と云う）ＵＴ１〜ＵＴｎとの間、および予測装置ＳＶと医師などの医療関係者が使用する端末（以後医師端末と云う）ＤＴ１〜ＤＴｍとの間で、それぞれ通信ネットワークＮＷを介して通信可能としている。
【００３３】
医師端末ＤＴ１〜ＤＴｍは、例えば、固定設置型のパーソナルコンピュータ、携帯型のノート型パーソナルコンピュータ或いはタブレット型端末からなる。また医師端末ＤＴ１〜ＤＴｍは少なくともメーラおよびブラウザを備える。そして、メーラを使用することで上記予測装置ＳＶから送信される通知メールを受信し、またブラウザを使用することで上記予測装置ＳＶに対しアクセスすることが可能となっている。
【００３４】
ユーザ端末ＵＴ１〜ＵＴｎは、例えば、ウェアラブル型の計測装置ＢＴ１〜ＢＴｎと、情報端末ＩＴ１〜ＩＴｎとを備えている。計測装置ＢＴ１〜ＢＴｎは、例えばユーザの手首に装着され、ユーザの操作もしくは予め設定したタイミングまたは時間間隔でユーザの血圧と脈波を計測し、計測により得られた血圧データおよび脈波データを無線インタフェースにより上記情報端末ＩＴ１〜ＩＴｎに無線送信する。上記血圧データおよび脈波データには、計測時刻とユーザ識別情報（ユーザＩＤ）が付加または挿入される。
【００３５】
血圧の計測方法としては、例えばオシロメトリック法が用いられるが、その他に心拍の一拍ごとに計測するBeat by Beat方式や、Pulse Transit Time（ＰＴＴ）法により血圧変動を推定して当該推定された変動をトリガとしてスポット的に血圧を計測するトリガ計測方式を用いてもよい。また、計測装置ＢＴ１〜ＢＴｎのタイプとしては、手首に装着されるウェアラブル型に限らず、上腕等に装着されるタイプのものや据置タイプであってもよい。さらに、血圧計と脈波計とを別の装置として設け、これらの装置によりそれぞれ計測された血圧データおよび脈波データを情報端末ＩＴ１〜ＩＴｎへ送信するようにしてもよい。
【００３６】
情報端末ＩＴ１〜ＩＴｎは、例えば、スマートフォンやタブレット型端末などの携帯情報端末、または固定設置型のパーソナルコンピュータからなる。情報端末ＩＴ１〜ＩＴｎは、上記計測装置ＢＴ１〜ＢＴｎから送信された血圧データおよび脈波データを受信してメモリに一旦蓄積する。そして、脈波データに基づいて、脈波ごとにその計測タイミングのずれ量をもとに当該脈波が規則脈波であるか不規則脈波であるかを判定し、この脈波の規則／不規則の判定データ（以後脈波判定データと呼称する）を上記メモリに記憶する。情報端末ＩＴ１〜ＩＴｎは、上記メモリに蓄積された血圧データおよび脈波判定データを、例えば一定データ数ごとあるいは一定時間分ごとにメモリから読み出し、通信ネットワークＮＷを介して予測装置ＳＶへ送信する。
【００３７】
また情報端末ＩＴ１〜ＩＴｎは、ユーザの睡眠情報を、通信ネットワークＮＷを介して予測装置ＳＶへ送信する。睡眠情報は睡眠時間帯を表す情報を含む。睡眠時間帯を表す情報はユーザ自身が情報端末ＩＴ１〜ＩＴｎの入力部において手操作で入力したものを用いてもよく、また上記脈波データから推定したものを用いてもよい。なお、脈波データから睡眠時間帯を推定する方法については後述する。
【００３８】
さらに情報端末ＩＴ１〜ＩＴｎは、メーラおよびブラウザを有し、予測装置ＳＶから脳心血管疾患発症リスクの予測結果を表すメッセージを上記メーラおよびブラウザのいずれかにより受信し、受信したメッセージを表示器に表示する。
【００３９】
なお、上記計測装置ＢＴ１〜ＢＴｎと情報端末ＩＴ１〜ＩＴｎとの間で使用される無線インタフェースとしては、例えばBluetooth（登録商標）等の近距離無線データ通信規格を採用した無線インタフェースが用いられるが、これに限るものではなく無線ＬＡＮ（Local Area Network）や公衆移動通信網を使用することもできる。
【００４０】
（２）予測装置
（２−１）ハードウェア構成
予測装置ＳＶは、例えばサーバコンピュータまたはパーソナルコンピュータからなり、以下のように構成される。図３はそのハードウェア構成を示すブロック図である。  
予測装置ＳＶは、中央制御ユニット（Central Processing Unit：ＣＰＵ）等と呼ばれるハードウェアプロセッサを用いた制御ユニットを有し、この制御ユニット１０にバス６０を介してプログラムメモリ２０、データメモリ３０、および通信インタフェースユニット４０を接続したものとなっている。なお、５０は電源ユニットである。
【００４１】
プログラムメモリ２０は、ＨＤＤ（Hard Disk Drive）やＳＳＤ（Solid State Drive）、ＲＯＭなどの不揮発性メモリを使用したもので、予測装置ＳＶが実行する処理を実現するためのプログラム群を格納する。データメモリ３０は、ＤＲＡＭなどの揮発性メモリまたは上記ＨＤＤやＳＳＤなどの随時書込および読出しが可能な不揮発性メモリを使用したもので、計測装置ＢＴ１〜ＢＴｎから取得される、生体情報や睡眠情報を記憶したり、判定基準を記憶するために用いられる。通信インタフェースユニット４０は、通信ネットワークＮＷを介して、医師端末ＤＴ１〜ＤＴｍおよび情報端末ＩＴ１〜ＩＴｎとの間でデータ通信を行う。
【００４２】
（２−２）ソフトウェア構成
図４は、予測装置ＳＶのソフトウェア構成とメモリ構成を示すブロック図である。  
データメモリ３０には、生体情報記憶部３１、睡眠情報記憶部３２および判定基準記憶部３３が設けられている。
【００４３】
生体情報記憶部３１は、各ユーザの情報端末ＩＴ１〜ＩＴｎからそれぞれ受信した血圧データおよび脈波判定データを記憶するために用いられる。睡眠情報記憶部３２は、各ユーザの情報端末ＩＴ１〜ＩＴｎからそれぞれ受信した睡眠時間帯を表す情報を記憶するために用いられる。
【００４４】
判定基準記憶部３３は、例えば脳心血管疾患の発症リスクを判定するために予め設定された判定基準を記憶する。判定基準は、例えば、脳心血管疾患の発症原因の１つである早朝高血圧および不規則脈波の、睡眠安定時の血圧値および不規則脈波の発生頻度に対する変化の度合いを判定するものである。
【００４５】
一例を述べると、高血圧治療ガイドライン等によれば、家庭において朝に計測された収縮期血圧／拡張期血圧が継続して１３５mmHg／８５mmHg以上の場合に早朝高血圧の疑いがあると定義され、また起床後の３時間以内の収縮期血圧が１７０〜１８０mmHg以上でかつ起床前後の３時間の血圧上昇が３０〜５０mmHgの場合に早朝高血圧であると定義されている。そこで一実施形態では、上記高血圧治療ガイドラインで定義された基準に従い判定基準を設定し、判定基準記憶部３３に記憶しておく。
【００４６】
一方、プログラムメモリ２０には、生体情報取得制御プログラム１１と、睡眠情報取得制御プログラム１２と、予測対象期間分割プログラム１３と、変化情報生成プログラム１４と、予測プログラム１５とが記憶されており、制御ユニット１０はＣＰＵにより上記各プログラム１１〜１５を実行することにより、一実施形態に係る処理を実現する。
【００４７】
生体情報取得制御プログラム１１は、各ユーザの情報端末ＩＴ１〜ＩＴｎから送信された血圧データおよび脈波判定データを通信インタフェースユニット４０により受信し、受信された血圧データおよび脈波判定データを、当該データに付加または挿入されているユーザＩＤおよび計測時刻に応じて、ユーザごとに別けて計測時刻順に生体情報記憶部３１に記憶させる処理を行う。
【００４８】
睡眠情報取得制御プログラム１２は、各ユーザの情報端末ＩＴ１〜ＩＴｎから送信された睡眠時間帯を表す情報または睡眠状況の判定結果を表す情報を通信インタフェースユニット４０により受信し、受信された情報をユーザＩＤと関連付けて生体情報記憶部３１に記憶させる処理を行う。
【００４９】
予測対象期間分割プログラム１３は、ユーザごとに、例えば、上記睡眠情報記憶部３２に記憶された睡眠時間帯を表す情報をもとに当該睡眠時間帯を予測対象期間として設定し、かつ上記睡眠時間帯の中心時刻を分割境界点として設定して、上記睡眠時間帯をこの分割境界点により前半の時間帯と後半の時間帯とに分割する処理を行う。
【００５０】
変化情報生成プログラム１４は、次のような処理を実行する。  
(1) ユーザごとに、上記予測対象期間分割プログラム１３により設定された睡眠時間帯の前半と後半の各時間帯ごとに、当該時間帯に計測時刻が含まれる血圧データを上記生体情報記憶部３１から読み出してその平均値を算出し、当該平均値の上記前半および後半の各時間帯間における変化の度合い（比）を算出する処理。なお、上記血圧データの平均値および変化の度合いの算出は、収縮期血圧と拡張期血圧のそれぞれについて行ってもよいし、収縮期血圧についてのみ行ってもよい。
【００５１】
(2) 上記睡眠時間帯の前半と後半の各時間帯ごとに、当該時間帯に計測時刻が含まれる脈波判定データを上記生体情報記憶部３１から読み出して不規則脈波の発生頻度を算出し、当該発生頻度の上記前半および後半の各時間帯間における変化の度合い（比）を算出する処理。
【００５２】
(3) 上記(1) で算出された血圧データの変化の度合いと、上記(2) により算出された不規則脈波発生頻度の変化の度合いとを重み係数を付けて合成し、睡眠時間帯における、血圧および不規則脈波の発生頻度を総合した生体情報の時間変化の度合いを示すスコア（総合リスクともいう）を算出する処理。なお、上記重み付け合成処理には、加算または乗算、或いはその組み合わせによる演算処理が用いられる。
【００５３】
予測プログラム１５は、次のような処理を実行する。  
(1) 上記変化情報生成プログラム１４により算出されたスコアを、判定基準記憶部３３に記憶された判定基準と比較し、その比較結果を脳心血管疾患の発症リスクの予測データとする処理。  
(2) 上記発症リスクの予測データの内容が「発症リスクが高い」を示す場合に、その旨の通知メッセージを作成し、当該通知メッセージを通信インタフェースユニット４０から該当ユーザの情報端末ＩＴ１〜ＩＴｎまたは当該ユーザの掛かり付け医師の端末ＤＴ１〜ＤＴｍへ、例えば電子メールを用いて送信する処理。
【００５４】
（３）動作例
次に、以上のように構成されたシステムの動作の一例を説明する。  
（３−１）ユーザ端末ＵＴ１〜ＵＴｎの動作
計測装置ＢＴ１〜ＢＴｎでは、例えばユーザの操作もしくは予め設定したタイミングまたは時間間隔でユーザの血圧（収縮期血圧と拡張期血圧を含む）および脈波の計測が行われ、計測された血圧データおよび脈波データは情報端末ＩＴ１〜ＩＴｎへ無線送信される。このとき、血圧データおよび脈波データには、計測時刻とユーザ識別情報（ユーザＩＤ）が付加または挿入される。なお、この動作例では、１時間間隔で自動的に血圧および脈波が計測される場合を例にとって説明する。
【００５５】
情報端末ＩＴ１〜ＩＴｎは、上記計測装置ＢＴ１〜ＢＴｎから送信された血圧データおよび脈波データを受信してメモリに一旦蓄積する。そして、脈波データに基づいて、脈波ごとにその本来の計測タイミングに対するずれ量を検出し、ずれ量が所定量未満の場合には当該脈波を規則脈波と判定し、ずれ量が所定量以上の場合は当該脈波を不規則脈波と判定する。例えば、脈波の計測タイミングが平均的な計測間隔の２５％以上ずれた場合に当該脈波を不規則脈波と判定し、そうでない場合には当該脈波を規則脈波と判定する。この脈波の規則／不規則の判定データ（脈波判定データ）は、上記メモリに記憶される。
【００５６】
情報端末ＩＴ１〜ＩＴｎは、上記メモリに蓄積された血圧データおよび脈波判定データを、例えば一定時間分ずつ読み出して、通信ネットワークＮＷを介して予測装置ＳＶへ送信する。なお、上記血圧データおよび脈波判定データは、計測されるごとにその都度情報端末ＩＴ１〜ＩＴｎから予測装置ＳＶへ送信されるようにしてもよい。
【００５７】
また情報端末ＩＴ１〜ＩＴｎは、ユーザの睡眠時間を表す情報を生成する。その生成方法としては次の２つが考えられる。  
（方法１）ユーザの自己申告
ユーザが自身の情報端末ＩＴ１〜ＩＴｎにおいて、自身の睡眠時間帯（就寝時刻と起床時刻）を手操作で入力する。情報端末ＩＴ１〜ＩＴｎは、上記入力された睡眠時間帯を表す情報をメモリに保存した後、起床後の任意のタイミングで読み出して、睡眠情報として予測装置ＳＶへ送信する。なお、計測装置ＢＴ１〜ＢＴｎが入力部を備えている場合には、ユーザは睡眠時間帯を計測装置ＢＴ１〜ＢＴｎの入力部において入力するようにしてもよい。
【００５８】
（方法２）脈波データからの推定
情報端末ＩＴ１〜ＩＴｎは、計測された脈波データをもとに、例えば以下の方法によりユーザの睡眠状況を判定する。図９Ａ〜図９Ｄはその処理内容を説明するための図である。  
すなわち、先ず脈波データ（図９Ａに示す波形データ）から心拍間隔（ＲＲＩ）を検出する。次に、上記心拍間隔の揺らぎ成分を周波数解析することで、図９Ｂに示すように、交感神経活動を反映する０．１Hz前後の低周波成分（Low Frequency：ＬＦ）と、副交感神経活動を反映する０．３Hz前後の高周波成分（High Frequency：ＨＦ）のレベルを算出する。そして、上記ＬＦおよびＨＦの検出結果をもとに、図９Ｃに示すような睡眠時間中における自律神経バランスを算出する。
【００５９】
自律神経の活性状況は、睡眠の深さや種類（レム睡眠とノンレム睡眠）との間に一定の相関があることが知られている。一般的に、副交感神経成分が優位であるときはノンレム睡眠であり、交感神経成分が優位であるかあるいは脈波が乱れているときはレム睡眠であることが多い。そこで、この関係に着目して、情報端末ＩＴ１〜ＩＴｎは、上記自律神経バランスを例えば図９Ｄに示すように睡眠状況に対応付ける。
【００６０】
より具体的には、情報端末ＩＴ１〜ＩＴｎは、睡眠段階を、例えば、レム睡眠と、深いノンレム睡眠と、浅いノンレム睡眠と、覚醒の４段階で定義し、上記自律神経バランスの算出結果をもとに睡眠状況を上記４段階の睡眠段階に対応付ける。そうすると、例えば図１０に示す睡眠状況の判定結果が得られる。なお、レム睡眠と覚醒との識別は、例えば計測装置ＢＴ１〜ＢＴｎに加速度センサを設け、この加速度センサによりユーザの体動を検出して、体動が所定時間以上連続した場合に覚醒と判定するようにすれば、より正確に判定できる。
【００６１】
情報端末ＩＴ１〜ＩＴｎは、上記睡眠状況の判定結果を表す情報をメモリに保存した後、起床後の任意のタイミングで読み出して睡眠情報として予測装置ＳＶへ送信する。  
なお、以上の（方法２）として述べた睡眠状況の判定方法については、亀山研一ほか、「快眠のための睡眠判定と睡眠モニタシステム」、東芝レビュー Vol.61 No.10 (2006) p.41-44に詳しく記載されている。
【００６２】
（３−２）予測装置ＳＶの動作
予測装置ＳＶは、次のように動作する。図５は予測装置ＳＶの処理手順および処理内容を例示するフローチャートである。  
（３−２−１）生体情報の取得
予測装置ＳＶは、生体情報取得制御プログラム１１の制御の下、ステップＳ１０において生体情報の受信を監視している。この状態で、ユーザの情報端末ＩＴ１〜ＩＴｎから生体情報、つまり血圧データおよび脈波判定データが送信されると、この血圧データおよび脈波判定データを通信インタフェースユニット４０により受信し、ステップＳ１１により制御ユニット１０に取り込んで生体情報記憶部３１に記憶させる。
【００６３】
以上の血圧データおよび脈波判定データの取得処理は、情報端末ＩＴ１〜ＩＴｎから新たな血圧データおよび脈波判定データが送信されるごとに実行される。このとき、血圧データおよび脈波判定データは、当該データに付加または挿入されているユーザＩＤおよび計時時刻に従って、ユーザごとに別けられ、かつ計測時刻順に並べられて、生体情報記憶部３１に記憶される。
【００６４】
（３−２−２）睡眠情報の取得
予測装置ＳＶは、睡眠情報取得制御プログラム１２の制御の下、ステップＳ１２において睡眠情報の受信を監視している。この状態で、ユーザの情報端末ＩＴ１〜ＩＴｎから睡眠情報、つまり睡眠時間帯を表す情報または睡眠状況の判定結果を表す情報が送信されると、この睡眠時間帯を表す情報または睡眠状況の判定結果を表す情報を通信インタフェースユニット４０により受信し、ステップＳ１３により制御ユニット１０に取り込んで睡眠情報記憶部３２に記憶させる。なお、情報端末ＩＴ１〜ＩＴｎから送られる睡眠情報は毎日更新される場合があるため、受信した睡眠情報には日付を表す情報が対応付けられて記憶される。
【００６５】
（３−２−３）予測対象期間の設定とその分割
予測装置ＳＶは、上記生体情報の取得処理および睡眠情報の取得処理を実行しながら、ステップＳ１４において発症リスク推定タイミングになったか否かを監視している。発症リスク推定タイミングは、例えばユーザの覚醒タイミングに設定される。覚醒タイミングは、取得された睡眠情報をもとに設定される。
【００６６】
この状態で、発症リスク推定タイミングになると、予測装置ＳＶは先ずステップＳ１５において予測対象期間分割プログラム１３を起動し、この予測対象期間分割プログラム１３の制御の下で、以下のように予測対象期間分割処理を実行する。
【００６７】
図６は、予測対象期間分割処理の処理手順と処理内容の一例を示すフローチャートである。  
予測対象期間分割プログラム１３は、先ずステップＳ１５１により睡眠情報記憶部３２から日付が対応する睡眠情報を読み込む。そして、ステップＳ１５２において、上記読み込んだ睡眠情報が、ユーザにより入力された睡眠時間帯を表す情報であれば、当該睡眠時間帯をそのまま予測対象期間として設定する。
【００６８】
これに対し、推定情報が、脈波データから生成された睡眠状況の判定結果を表す情報であれば、予測対象期間分割プログラム１３は、当該情報から睡眠時間帯を推定し、この推定した睡眠時間帯を予測対象期間として設定する。例えば、図１０に示した睡眠状況の判定結果を表す情報の場合には、就寝時の「覚醒」状態の終了時点から起床時の「覚醒」状態の開始時点までを睡眠時間帯と推定する。
【００６９】
予測対象期間分割プログラム１３は、次にステップＳ１５３において、上記予測対象期間として設定された睡眠時間帯をもとに分割境界点を設定する。例えば、睡眠時間帯の中心時刻をそのまま分割境界点として設定する。または、睡眠状況の判定結果を表す情報をもとに、「深いノンレム睡眠」の出現頻度が高い状態から低くなる状態に移行するタイミングを検出し、これを分割境界点として設定する。例えば図１０において、１時間間隔で「深いノンレム睡眠」の出現頻度を算出し、その算出値が大きく変化したタイミングを分割境界点として設定する。
【００７０】
予測対象期間分割プログラム１３は、続いてステップＳ１５４において、上記ステップＳ１５４で設定された分割境界点を用いて、ステップＳ１５２により予測対象期間として設定された睡眠時間帯を２つの時間帯に分割する。例えば図１０に示す睡眠状況判定結果の場合には、AM 1:53の時点で前半時間帯と後半時間帯とに分割する。
【００７１】
（３−２−４）変化情報の生成
予測装置ＳＶは、上記予測対象期間の設定とその分割処理が終了すると、次にステップＳ１６において変化情報生成プログラム１４を起動し、この変化情報生成プログラム１４の制御の下、以下のように生体情報変化情報の生成処理を実行する。
【００７２】
図７は、生体情報変化情報の生成処理の手順と処理内容の一例を示すフローチャートである。  
変化情報生成プログラム１４は、先ずステップＳ１６１において、生体情報記憶部３１から、上記予測対象期間として設定された睡眠時間帯に計測時間が含まれる血圧データを読み込む。このとき、上記血圧データの読み込みは、予め睡眠時間帯の前半の時間帯と後半の時間帯とに分けて行ってもよい。
【００７３】
上記睡眠時間帯に含まれる血圧データの読み込みを終了すると、変化情報生成プログラム１４は、続いてステップＳ１６２において、上記読み込んだ血圧データの前半の時間帯に含まれる血圧データの平均値を算出する。またそれと共にステップＳ１６３において、後半の時間帯の血圧データの平均値を算出する。この血圧データの平均値は、収縮期の血圧値と拡張期の血圧値のそれぞれについて算出する。
【００７４】
変化情報生成プログラム１４は、続いてステップＳ１６４において、上記算出された前半の時間帯における血圧データの平均値と、後半の時間帯における血圧データの平均値との比を算出する。  
例えば、いま睡眠時間帯における血圧データの値が図１１のＢＰに示すようなものだったとする。この場合、変化情報生成プログラム１４は、前半の時間帯の計測時刻ｉ＝Ｍ，Ｍ＋１，…，−１に計測された各血圧データｂｐi  (i=M,M+1,…,-1)の平均値と、後半の時間帯の計測時刻ｉ＝０，１，…，Ｎに計測された各血圧データｂｐi  (i=0,1,…,N)の平均値との比ｒｉｓｋbpを、
【数１】
2019115614.tif 000003
により算出する。
【００７５】
変化情報生成プログラム１４は、次にステップＳ１６５において、上記生体情報記憶部３１から、上記予測対象期間として設定された睡眠時間帯に計測時間が含まれる脈波判定データを読み込む。このとき、上記脈波判定データの読み込みは、上記血圧データの場合と同様に、予め睡眠時間帯の前半の時間帯と後半の時間帯とに分けて行ってもよい。
【００７６】
上記睡眠時間帯に含まれる脈波判定データの読み込みを終了すると、変化情報生成プログラム１４は、続いてステップＳ１６６において、上記読み込んだ脈波判定データの前半の時間帯に含まれる脈波判定データの平均値、つまり不規則脈波の発生頻度を算出する。またそれと共にステップＳ１６７において、後半の時間帯の脈波判定データの平均値、つまり不規則脈波の発生頻度を算出する。
【００７７】
変化情報生成プログラム１４は、続いてステップＳ１６８において、上記算出された前半の時間帯における不規則脈波の発生頻度と、後半の時間帯における不規則脈波の発生頻度との比を算出する。  
例えば、いま睡眠時間帯における脈波判定データの値が図１１の“０”（規則脈波）または“１”（不規則脈波）に示すように表されているとする。この場合、変化情報生成プログラム１４は、前半の時間帯の計測時刻ｉ＝Ｍ，Ｍ＋１，…，−１に計測され判定された各脈波判定データｉｒｈi  (i=M,M+1,…,-1)に基づく不規則脈波の発生頻度と、後半の時間帯の計測時刻ｉ＝０，１，…，Ｎに計測および判定された各脈波判定データｉｒｈi  (i=0,1,…,N) に基づく不規則脈波の発生頻度との比ｒｉｓｋirhを、
【数２】
2019115614.tif 000004
により算出する。
【００７８】
変化情報生成プログラム１４は、最後にステップＳ１６９において、上記算出された睡眠時間帯の前後半間における血圧データｂｐiの平均値の比ｒｉｓｋbpと、上記算出された睡眠時間帯の前後半間における不規則脈波の発生頻度の比ｒｉｓｋirhとを、それぞれ重み係数Ｗ１，Ｗ２を付した上で、
【数３】
2019115614.tif 000005
により乗算する。そして、その算出結果を、血圧および不規則脈波の発生頻度を総合した生体情報の時間変化の度合いを示す変化情報（総合リスクともいう）ｒｉｓｋとして出力する。
【００７９】
なお、重み係数Ｗ１，Ｗ２は、それぞれ早朝高血圧に対する血圧および不規則脈波の寄与の比率に応じて予め設定される。このように重み係数Ｗ１，Ｗ２を適宜設定することで、早朝高血圧の判定精度をよりさらに高めることができる。
【００８０】
（３−２−５）発症リスクの判定
予測装置ＳＶは、上記総合リスクｒｉｓｋが算出されると、次にステップＳ１７において、予測プログラム１５を起動し、この予測プログラム１５の制御の下で、以下のように脳心血管疾患の発症リスクの判定処理を実行する。
【００８１】
図８は、予測プログラム１５による予測処理手順と処理内容の一例を示すフローチャートである。  
すなわち、予測プログラム１５は、ステップＳ１７１において、判定基準記憶部３３から、早朝高血圧および不規則脈波の発生頻度の両方を総合して予め設定された脳心血管疾患の発症リスクの判定閾値を読み出し、上記総合リスクｒｉｓｋを上記判定閾値と比較する。そして、ステップＳ１７２において、総合リスクｒｉｓｋが判定閾値より高いか低いかを判定する。
【００８２】
この判定の結果、総合リスクｒｉｓｋが判定閾値より高い場合には、予測プログラム１５はステップＳ１７３において、脳心血管疾患の発症リスクが高い旨をユーザに通知するためのメッセージを作成し、当該通知メッセージを通信インタフェースユニット４０から該当ユーザの情報端末ＩＴｉへ送信する。またこのとき、上記通知メッセージには、脳心血管疾患の発症リスクが高い旨に加え、急激な運動等を控えることを勧めるメッセージを含めるようにしてもよい。
【００８３】
なお、予測プログラム１５は、上記通知メッセージを該当ユーザの掛かり付け医師の端末ＤＴｉへ送信するようにしてもよく、さらには上記ユーザの家族や職場の管理者等のユーザと関わりが深い人が使用する情報端末に送信するようにしてもよい。
【００８４】
（作用・効果）
以上述べたように一実施形態では、予測装置ＳＶにおいて、ユーザ端末ＵＴ１〜ＵＴｎからそれぞれ血圧データおよび不規則脈波の判定データを取得すると共に、睡眠時間帯を示す入力データもしくは睡眠状況の判定結果を表す情報を取得する。そして、上記睡眠時間帯を示す入力データもしくは睡眠状況の判定結果を表す情報をもとに、予測対象期間としてユーザの睡眠時間帯を設定した後当該睡眠時間帯を前半と後半に分割し、この前半と後半の各時間帯間における血圧データの変化の度合い、および不規則脈波の発生頻度の変化の度合いをそれぞれ算出して、これらを重み係数を付して乗算することにより、睡眠時間帯における、血圧および不規則脈波の発生頻度を総合した生体情報の時間変化の度合いを示すスコア（総合リスク）を算出する。そして、上記総合リスクを判定閾値と比較することにより、脳心血管疾患の発症リスクの高低を判定し、その結果をユーザなどに通知するようにしている。
【００８５】
従って、睡眠時間帯の中で起床前後の時間帯において血圧値が急激に上昇する早朝高血圧の状態を比較的簡単な処理手法により検出することができ、その検出結果から脳心血管疾患の発症リスクを判定してその結果をユーザに通知することができる。すなわち、１日ごとの短期的な脳心血管疾患の発症リスクを予測することができる。このため、ユーザは、例えば起床後の急激な運動や、入浴、排泄動作を控えるようにすることが可能となり、これにより脳心血管疾患の発症を防止することが可能となる。
【００８６】
また、ユーザ自身が入力した睡眠時間帯、またはユーザ自身の睡眠状況の判定結果から推定した睡眠時間帯を予測対象期間として設定するようにしているので、正確な睡眠時間帯を設定することができ、これにより早朝高血圧による脳心血管疾患の発症リスクを精度良く予測することが可能となる。
【００８７】
さらに、睡眠状況の判定データをもとに分割境界点を推定して睡眠時間帯を前後半に分割するようにすれば、睡眠時間帯を最適なタイミングで前後半に分割することができ、これにより脳心血管疾患の発症リスクの予測精度をさらに高めることが可能となる。一方、睡眠時間帯からその中心時刻を算出してこの中心時刻で睡眠時間帯を前後半に分割する場合には、分割境界点の設定および時間帯の分割処理を簡単に行うことができる。
【００８８】
［変形例］
（１）前記一実施形態では、脈波の規則／不規則の判定処理を情報端末ＩＴ１〜ＩＴｎが行う場合を例にとって説明したが、当該判定処理を計測装置ＢＴ１〜ＢＴｎで行うようにしてもよく、また予測装置ＳＶで行うようにしてもよい。上記判定処理を計測装置ＢＴ１〜ＢＴｎで行うと、計測装置ＢＴ１〜ＢＴｎから情報端末ＩＴ１〜ＩＴｎへ脈波の波形データを伝送する必要がなくなるので、計測装置ＢＴ１〜ＢＴｎと情報端末ＩＴ１〜ＩＴｎとの間の通信データ量を減らすことができる。また、上記判定処理を予測装置ＳＶで行うようにすれば、計測装置ＢＴ１〜ＢＴｎと情報端末ＩＴ１〜ＩＴｎの処理負荷を軽減することができる。
（２）前記一実施形態では、脈波データから睡眠状況を解析する処理を、情報端末ＩＴ１〜ＩＴｎで行う場合について述べた。しかしそれに限らず、情報端末ＩＴ１〜ＩＴｎから予測装置ＳＶへ脈波データを送信し、予測装置ＳＶが上記脈波データをもとに睡眠状況を判定し、その判定結果から睡眠時間帯を推定し、さらに分割境界点を設定するようにしてもよい。このようにすると、情報端末ＩＴ１〜ＩＴｎの処理負荷が軽減され、バッテリ寿命の延命を図ることができる。
【００８９】
（３）前記一実施形態では、睡眠時間帯を前半と後半の２つに分割する場合を例示した。しかしそれに限らず、例えば睡眠時間帯を３以上の時間帯に分割し、これらの時間帯ごとに血圧データの平均値および不規則脈波の発生頻度を算出して、これらの算出値の時間帯間における変化の度合いをもとに脳心血管疾患の発症リスクを予測するようにしてもよい。このようにすると、例えば睡眠時間帯の中間時間帯において、睡眠時無呼吸症候群等の影響で血圧のサージが発生した場合に、当該サージの発生を検出してその程度により脳心血管疾患の発症リスクを予測することができる。
【００９０】
（４）また、睡眠時間帯の分割境界点は睡眠時間帯の中心時刻に設定せず、例えば中心時刻より起床時刻に近いタイミングに設定するようにしてもよい。このようにすると、睡眠時間帯の中間時間帯に例えば睡眠時無呼吸症候群の影響で血圧サージが発生した場合でも、その影響を軽減して早朝高血圧の発症を精度良く検出することが可能となる。
【００９１】
（５）前記一実施形態では、判定基準として閾値を１個のみ設定した場合を例にとって説明したが、閾値を複数個設定してもよい。閾値が１個の場合には、脳心血管疾患の発症リスクが高いか否かを判定することができる。閾値が複数の場合には、脳心血管疾患の発症リスクがどの程度高いかを判定することができ、これによりユーザに対し脳心血管疾患の発症リスクの高さに応じた適切なメッセージを通知することが可能となる。
【００９２】
（６）前記一実施形態では、予測装置ＳＶの構成をＷｅｂ上またはクラウド上などのサーバコンピュータに設けた場合を例示したが、予測装置ＳＶの構成をユーザが所有する情報端末ＩＴ１〜ＩＴｎに設けるようにしてもよく、また計測装置ＢＴ１〜ＢＴｎと情報端末ＩＴ１〜ＩＴｎとが例えばウェアラブル端末のように１個の装置として構成されている場合には、このウェアラブル端末に予測装置ＳＶの構成を設けるようにしてもよい。
【００９３】
（７）前記一実施形態では、生体情報として血圧データと脈波判定データを取得し、この血圧データと脈波判定データの両方を用いて脳心血管疾患の発症リスクを予測するようにした。しかし、これに限らず、血圧データのみを取得し、この血圧データのみを用いて脳心血管疾患の発症リスクを予測するようにしてもよい。また、疾患の症状が不規則脈波の時間変動に顕著に現れる疾患を予測対象とする場合には、脈波判定データのみを取得して疾患の発症リスクを予測するようにしてもよい。
【００９４】
（８）以上、本発明の実施形態を詳細に説明してきたが、前述までの説明はあらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００９５】
［付記］
上記各実施形態の一部または全部は、特許請求の範囲のほか以下の付記に示すように記載することも可能であるが、これに限られない。  
（付記１）
ハードウェアプロセッサとメモリとを有する疾患発症リスク予測装置であって、
前記ハードウェアプロセッサが、
計測部により計測されたユーザの生体情報を取得して前記メモリに格納し、
予測対象期間を複数の時間帯に分け、前記生体情報の前記複数の時間帯間における変化を表す情報を生成し、
特定の疾患に対応付けて予め設定された判定基準を前記メモリに記憶し、前記変化を表す情報を前記判定基準と比較することで、前記ユーザにおける前記特定の疾患の発症リスクを予測する
疾患発症リスク予測装置。
【００９６】
（付記２）
ハードウェアプロセッサとメモリとを有する装置が実行する疾患発症リスク予測方法であって、
前記ハードウェアプロセッサが、計測部により計測されたユーザの生体情報を取得して前記メモリに格納する過程と、
前記ハードウェアプロセッサが、予め設定した予測対象期間を複数の時間帯に分け、前記生体情報の前記複数の時間帯間における変化を表す情報を算出する過程と、
前記ハードウェアプロセッサが、特定の疾患に対応付けて予め設定された判定基準を前記メモリに記憶し、前記変化を表す情報を前記判定基準と比較することで、前記ユーザにおける前記特定の疾患の発症リスクを予測する過程と
を備える疾患発症リスク予測方法。
【符号の説明】
【００９７】
ＵＳ…ユーザ、１…疾患発症リスク予測装置、２…計測装置、１ａ…生体情報の取得部、１ｂ…生体情報記憶部、１ｃ…変化情報生成部、１ｄ…リスク予測部、１ｅ…判定基準記憶部、ＳＶ…予測装置、ＵＴ１〜ＵＴｎ…ユーザ端末、ＢＴ１〜ＢＴｎ…計測装置、ＩＴ１〜ＩＴｎ…情報端末、ＤＴ１〜ＤＴｍ…医師端末、ＮＷ…通信ネットワーク、１０…制御ユニット、２０…プログラムメモリ、３０…データメモリ、４０…通信インタフェースユニット、５０…電源ユニット、６０…バス、１１…生体情報取得制御プログラム、１２…睡眠情報取得制御プログラム、１３…予測対象期間分割プログラム、１４…変化情報生成プログラム、１５…予測プログラム、３１…生体情報記憶部、３２…睡眠情報記憶部、３３…判定基準記憶部。
【図１】
2019115614.tif 000006
【図２】
2019115614.tif 000007
【図３】
2019115614.tif 000008
【図４】
2019115614.tif 000009
【図５】
2019115614.tif 000010
【図６】
2019115614.tif 000011
【図７】
2019115614.tif 000012
【図８】
2019115614.tif 000013
【図９Ａ】
2019115614.tif 000014
【図９Ｂ】
2019115614.tif 000015
【図９Ｃ】
2019115614.tif 000016
【図９Ｄ】
2019115614.tif 000017
【図１０】
2019115614.tif 000018
【図１１】
2019115614.tif 000019